(57)【要約】【課題】  滑り止め作用を成す突部を予め設けたシール部材を竿杆に貼着することによって簡便に握持部の滑り止め作用を行うことのできる滑り止めを施した釣竿を提供する。【解決手段】  握持部１２の有する曲面部に、該曲面部の表面よりも突出した滑り止め部を設けた釣竿であって、該滑り止め部においては、曲面部表面上に基盤シール３０Ｓが貼着され、該シール上に少なくとも点状か線状の複数の突部３０Ｔを有する文字又は模様を設けており、前記シールの縁３０ＳＦを跨ぐように前記曲面部の表面からシール上面に亘ると共に、突部の形状に沿うように裾野上にも亘った被覆層４０を設けるよう構成する。【選択図】        図７
2006280237.tif 000002
【特許請求の範囲】
【請求項１】
握持部の有する曲面部に、該曲面部の表面よりも突出した滑り止め部を設けた釣竿であって、該滑り止め部においては、曲面部表面上に基盤シールが貼着され、該シール上に少なくとも点状か線状の複数の突部を有する文字又は模様を設けており、前記シールの縁を跨ぐように前記曲面部の表面からシール上面に亘ると共に、突部の形状に沿うように裾野上にも亘った被覆層を設けていることを特徴とする滑り止めを施した釣竿。
【請求項２】
前記基盤シールは、前記各突部の材料よりも伸びが大きく、前記曲面部は断面非円形の曲面部である請求項１記載の滑り止めを施した釣竿。
【請求項３】
前記被覆層は透明又は半透明の層である請求項１又は２記載の滑り止めを施した釣竿。
【請求項４】
前記被覆層は前記突部とは異なる色の有色層であり、突部は発泡性の材料で形成されていて大部分の突部の頂部は被覆層が無くて露出している請求項１〜３の何れか１記載の滑り止めを施した釣竿。
【請求項５】
前記文字又は模様の輪郭部が、点状又は線状の突部で形成されている請求項１〜４の何れか１記載の滑り止めを施した釣竿。
【発明の詳細な説明】
【技術分野】
【０００１】
本発明は、滑り止めシールを貼着することによって滑り止めを施した釣竿に関する。
【背景技術】
【０００２】
釣竿の表面に、文字や模様を設けたシール状のものを貼着することは公知であり、下記特許文献１にその例が開示されている。これは、文字や模様を形成したプリント部Ｐを透明樹脂膜の層４で被覆した多層フィルムＦを、前記透明樹脂層を外側にして釣竿Ｒに貼着し、その外面に透明な塗装膜６を設けて構成している。
【特許文献１】特開平５−１５３８８６号公報
【発明の開示】
【発明が解決しようとする課題】
【０００３】
然しながら、上記特許文献１のものでは、文字や模様の表面が平坦であるため、滑り止め効果を奏し難く、握持部の滑り止めとしては使用できない。
依って解決しようとする課題は、滑り止め作用を成す突部を予め設けたシール部材を竿杆に貼着することによって簡便に握持部の滑り止め作用を行うことのできる滑り止めを施した釣竿を提供することである。また、特に、断面非円形の曲面部では、直接竿杆表面にスクリーン印刷等の手法による滑り止め部の形成ができないが、こうした曲面部にも滑り止め部形成を可能にすると共に、その滑り止め部の耐久性を向上させることを目的とする。
【課題を解決するための手段】
【０００４】
第１の発明では、握持部の有する曲面部に、該曲面部の表面よりも突出した滑り止め部を設けた釣竿であって、該滑り止め部においては、曲面部表面上に基盤シールが貼着され、該シール上に少なくとも点状か線状の複数の突部を有する文字又は模様を設けており、前記シールの縁を跨ぐように前記曲面部の表面からシール上面に亘ると共に、突部の形状に沿うように裾野上にも亘った被覆層を設けていることを特徴とする滑り止めを施した釣竿を提供する。
【０００５】
第２の発明では、第１の発明において、基盤シールは、前記各突部の材料よりも伸びが大きく、前記曲面部は断面非円形の曲面部であるよう構成する。
【０００６】
第３の発明では、第１の発明や第２の発明において、被覆層は透明又は半透明の層であるよう構成する。
第４の発明では、第１〜３の各発明において、被覆層は前記突部とは異なる色の有色層であり、突部は発泡性の材料で形成されていて大部分の突部の頂部は被覆層が無くて露出しているよう構成する。
第５の発明では、第１〜４の各発明において、文字又は模様の輪郭部が、点状又は線状の突部で形成されているよう構成する。
【発明の効果】
【０００７】
第１の発明では、釣竿把持部の曲面部に貼着されたシール上に少なくとも点状か線状の複数の突部を有する文字又は模様を設けているため、装飾効果以外に、滑り止め作用を果たす。また、シールによる貼着であるため、突部の製作を釣竿とは分離した工程で行え、文字や模様形態の任意性が向上する。しかも、シールの縁を跨ぐように曲面部の表面からシール上面に亘ると共に、突部の形状に沿うように、即ち、突部が周囲よりも高い状態を維持しつつ各突部の裾野上にも亘った被覆層を設けているため、滑り止め性を維持しつつ貼着後のシール縁からの剥離が防止できる他、シール面上に設けた突部の裾野部に亘って被覆層が設けられているため、シールからの突部の剥離も防止でき、耐久性が向上する。
【０００８】
第２の発明では、シールを貼着する曲面部は断面非円形であるため、伸びの悪いシールを貼着した場合、曲面部の形状に十分には沿い難く、結局は貼着後に剥れ易くなるが、突部の材料よりも伸びが大きいため、断面非円形な曲面形状に沿い易く、貼着後の剥れの虞が小さい。また、突部の変形が小さく、皺になり難い。
【０００９】
第３の発明では、剥れ防止の被覆層を透明状にしたため、被覆層の下側の色や文字や模様の視認性が損なわれず、装飾性に優れる。
第４の発明では、被覆層を突部とは異なる色の有色層としているため、突部の色や配列模様と相俟って装飾性を醸し出すことができると共に、発泡性材料でできた突部は、大部分の頂部が露出しているため、滑り止め効果が高く維持される。
第５の発明では、文字や模様形成という装飾等の効果の他に、滑り止め効果を重畳させることができる。
【発明を実施するための最良の形態】
【００１０】
以下、本発明を図面を用いて詳細に説明する。図１は本発明に係る釣竿の側面図であり、図２はその要部拡大図であり、左右を逆にしている。図３は図２の平面図である。エポキシ樹脂等の合成樹脂をマトリックスとし、炭素繊維等の強化繊維で強化した繊維強化樹脂製竿杆１０の後方部の握持部２０には、グリップ１２が設けられており、その前にリールＲを固定するリール装着部のリールシート本体１４が配設されており、その前には移動フードを兼ねたナット部材１６が配設されている。装着したリールＲの直ぐ後ろのリールシート本体１４上面には滑り止め部の元となる滑り止め貼着体３０が貼着されている。
【００１１】
滑り止め貼着体３０は、極薄の基盤シール３０Ｓと、その上に設けられた多数の点状突部３０Ｔとを有している。この突部３０Ｔは、ウレタンインクやエポキシインク等のインクの厚み（高さ）を５０〜３００μ程度にし、厚みの厚い方が滑り止め効果が高い。この例でのシール厚さは１０μ程度であるが、５〜２５μが好ましい。シールの材料としては、塩化ビニル樹脂、ウレタン、又はポリプロピレン等である。また、この貼着部分のリールシート本体は断面非円形の曲面部である。上記滑り止め貼着体３０は貼着状態のまま使用されるものではなく、後述の図７〜図１０のように、被覆層を設けて滑り止め部とするが、その詳細は後述の例の説明と同様である。
【００１２】
更には、この釣竿には、リールシート本体１４にトリガーＴが設けられており、このトリガーの裏面にも滑り止め貼着体３０が貼着されている。それは、図２の矢視線Ｄ−Ｄによる拡大横断面を示した図４に現われている。この滑り止め貼着体３０の突部３０Ｔも多数の点状突部であるが、図５に示すような、線状の突部３０Ｔとしてもよい。この線状突部は、左右方向に延伸しているため、ここに当る指の背面が上下方向に滑ることを効果的に防止できる。
【００１３】
図６はグリップ１２等の断面円形の円筒状表面に滑り止め貼着体３０を設けた例を示す。この例での突部３０Ｔは、それ自体で文字Ａ，Ｂ，Ｃを描いていると共に表面は平坦でなく、上に凸な曲面状であり、また、線状の突部といえる。直線又は曲線の折れ部で他の直線または曲線になると考え、各文字毎においても複数の突部を有している。矢視線Ｇ−Ｇによる部分拡大横断面図を図７に示す。まず、シール３０Ｓの縁３０ＳＦを跨いで、グリップ１２の表面からシール上に亘って、エポキシ樹脂やウレタン樹脂等の樹脂材を塗布等した被覆層４０が設けられている。更にこの被覆層は、突部３０Ｔの裾野に限らず頂部も含めて全体を覆っている。しかし、突部の突出状態を維持すべく突部の形状に沿って被覆している。即ち、シール３０Ｓ上の被覆層厚さＴ１よりも、突部３０Ｔとその頂部の被覆層厚さを合計した厚さＴ２とでは、後者の方が厚い。
【００１４】
このようにシールの縁３０ＳＦの前後領域に亘って被覆層が設けられているため、シールの剥離が防止できる。また、シール面に設けられた突部３０Ｔも、シール面からその裾野部に亘って被覆層が設けられているため、シールから突部が剥離することを防止できる。この例では、その突部の頂部も被覆されているため、この突部が発泡性材料で形成されていてもその耐久性が向上する。突部３０Ｔの色や、多数の突部の配列による模様等を外部から視認可能にするためには、被覆層４０を透明又は半透明のものにするとよい。色は無色とは限らず、有色であって透明や半透明としてもよい。その他、遮蔽性のある有色としてもよい。
【００１５】
次に、被覆層４０を図７の状態に被覆した後、スポンジ研磨や、サンドペーパーや、グラインダー等によって突部の上の被覆層と（突部の頂部）を削り取り、突部を露出させる。その状態を図８に示す。こうして突部の露出した上面３０ＴＳの存在は、突部３０Ｔが発泡性部材で形成されているような場合は、それが直接に手や指と接触するため、滑り防止効果が高くなる他、上面３０ＴＳの縁部は一般に脆い発泡性部材の突部ではなく、被覆層４０であるため、突部の脱落が防止される。こうした上面３０ＴＳを形成する場合も、滑り防止のために、シール上の厚さ（高さ）Ｔ１，Ｔ２’は後者を厚く設定する。
【００１６】
図８の形態にする場合、色調や色彩につき、突部３０Ｔのものと被覆層４０のものとを異ならせておけば、突部３０Ｔの周りを囲むような模様ができ、突部を強調するような装飾が実現できる。特に被覆層４０を遮蔽性のある有色にすると効果的である。
【００１７】
更に、上記図８で示す形態例の付加的な変形例として、図９に示すように、被覆層４０自体は遮蔽性のある有色としていて、上面３０ＴＳの上を他種類の被覆層４０’で被覆する。この被覆層４０’は透明又は半透明のものとし、外部から上面３０ＴＳが視認でき、視覚的には、図８の形態例の場合と同様な装飾効果を有しながら、突部３０Ｔとその周辺部の被覆層４０との界面に水が侵入して界面剥離が生じることを防止するという効果をも有する。また、図９で示すように、被覆層４０’の表面を滑らかな曲面にすれば、図８の上面３０ＴＳの縁のような角部が無くなり、握持した際に手が痛くならない。このような被覆層４０’を設けるには、抜き型等をあてがって、吹き付け塗装等をすることにより作成できる。
【００１８】
また、透明や半透明の被覆層４０’を図８の上面３０ＴＳのみに設けた図９のようにするのではなく、図１０に示すように被覆層４０の上面にまで亘って全体的に設けてもよい。
【００１９】
更には、図１１に示すように、実際に滑り止め貼着体３０を扱うには、その突部３０Ｔ側に、ポリエステル、ポリプロピレン、塩化ビニール樹脂等の矩形状のフィルム５０を被せ、シールとは互いに容易に剥れる仮止め状に付着させている。このフィルムはシール３０Ｓよりも大きく、また、シール３０Ｓよりも厚肉であり、取扱いが便利になっている。即ち、滑り止め貼着体３０を握持部に貼着する際に、フィルム５０を摘んで行える他、突部３０Ｔや極薄のシール３０Ｓを保護している。この例の突部３０Ｔは点状であり、多数の点状突部が模様としての魚の輪郭を形成している。また、魚の目の部分にはより大きな点状突部３０Ｔ’が設けられており、輪郭の突部とは異なる色としてもよい。
【００２０】
また、図１１と異なってシール形状と相似状の楕円形状のフィルム５０’を使用しており、しかも、模様としての魚の輪郭の内部にも点状突部３０Ｔを多数設けた例を図１２に示している。
【産業上の利用可能性】
【００２１】
本発明は、釣竿の握持部の滑り止めに利用できる。
【図面の簡単な説明】
【００２２】
【図１】図１は本発明に係る釣竿の側面図である。
【図２】図２は図１の要部の拡大図である。
【図３】図３は図２の上面図である。
【図４】図４は図２の矢視線Ｄ−Ｄによる拡大横断面図である。
【図５】図５は他の形態の滑り止め貼着体の図である。
【図６】図６は他の握持部に滑り止めを設けた図である。
【図７】図７は図６の矢視線Ｇ−Ｇによる部分拡大横断面図である。
【図８】図８は図７と異なる形態の図である。
【図９】図９は図８と異なる形態の図である。
【図１０】図１０は図９と異なる形態の図である。
【図１１】図１１は滑り止め貼着体の取扱い形態例を示す図である。
【図１２】図１２は図１１と異なる取扱い形態例を示す図である。
【符号の説明】
【００２３】
２０                      握持部
３０                      滑り止め貼着体
３０Ｓ                    基盤シール
３０Ｔ                    突部
【図１】
2006280237.tif 000003
【図２】
2006280237.tif 000004
【図３】
2006280237.tif 000005
【図４】
2006280237.tif 000006
【図５】
2006280237.tif 000007
【図６】
2006280237.tif 000008
【図７】
2006280237.tif 000009
【図８】
2006280237.tif 000010
【図９】
2006280237.tif 000011
【図１０】
2006280237.tif 000012
【図１１】
2006280237.tif 000013
【図１２】
2006280237.tif 000014